(57)【要約】  【課題】半導体デバイスの基本性能や歩留まりの維持または向上を図りながら、その占有面積の縮小が可能な、適切なフォトマスクの寸法ばらつき管理が困難である。  【解決手段】フォトマスクの検査のための仕様を設定するステップにおいて、検査すべきマスクパターンの寸法ばらつき仕様の一つとしてラインエンドの寸法ばらつき仕様を設ける。この仕様の設定においては、ラインエンドのマスクパターンと、それがレジストに転写されて形成されるレジストパターンにおいて、それぞれラインエンド寸法を測定する（ＳＴ１４，ＳＴ１５）。その測定結果からラインエンドの縮み量を反映した評価パラメータとしてＭＥＥＦ値を算出する（ＳＴ１６）。そして、ステップＳＴ１７において、当該ＭＥＥＦ値に応じてラインエンドの寸法ばらつき仕様のランクを設定する。その後、検査のステップにおいて、ランクごとに異なる仕様および測定結果を用いて、作製されたフォトマスクの合否を判定する。  【選択図】図５
2006220837.tif 000002
【特許請求の範囲】
【請求項１】
フォトマスクの検査のための仕様を設定するステップと、フォトマスクを作製するステップと、フォトマスク上のマスクパターンの寸法を測定し、その測定結果および前記仕様に基づいて前記フォトマスクの合否を判定する検査のステップとを含むフォトマスクの製造方法であって、
前記仕様を設定するステップにおいて、検査すべきマスクパターンの寸法ばらつき仕様の一つとしてラインエンドの寸法ばらつき仕様を設け、当該ラインエンドの寸法ばらつき規格を決める際に、当該ラインエンドのマスクパターンがレジストに転写されて形成されるレジストパターンについて、そのラインエンドの縮み量を反映した評価パラメータを算出し、当該評価パラメータの値に応じて前記ラインエンドの寸法ばらつき仕様のランクを設定し、
前記検査のステップにおいて、前記ランクごとに異なる仕様および前記測定結果を用いて、作製された前記フォトマスクの合否を判定する
フォトマスクの製造方法。
【請求項２】
前記評価パラメータがラインエンドに関するＭＥＥＦ値である
請求項１に記載のフォトマスクの製造方法。
【請求項３】
前記ラインエンドの寸法ばらつき仕様のランクは、前記評価パラメータが定常範囲内であるラインエンドに適用される第１ランクと、前記評価パラメータが前記定常範囲から外れるラインエンドに適用され、前記第１ランクより厳しい仕様の第２ランクとを含み、
前記測定において、前記マスクパターンのラインエンドに関し、その測定結果から算出した前記評価パラメータが前記定常範囲内と判断されるときは前記第１ランクを適用し、前記評価パラメータが前記定常範囲を外れていると判断されるときは前記第２ランクを適用する
請求項１に記載のフォトマスクの製造方法。
【請求項４】
前記ラインエンドの寸法ばらつき仕様のランクは、前記ＭＥＥＦ値が１程度の定常範囲内のラインエンドに適用される第１ランクと、前記ＭＥＥＦ値が前記定常範囲を外れるラインエンドに適用され、前記第１ランクより厳しい仕様の第２ランクとを含み、
前記測定において、前記マスクパターンのラインエンドに関し、その測定結果から算出された前記ＭＥＥＦ値が前記定常範囲内と判断されるときは前記第１ランクを適用し、前記ＭＥＥＦ値が前記定常範囲を外れていると判断されるときは前記第２ランクを適用する
請求項２に記載のフォトマスクの製造方法。
【請求項５】
前記ランクを設定する際に、前記評価パラメータが前記定常範囲から外れる境界の評価パラメータ値と、前記マスクパターンにおけるラインエンドの縮み量により変動する箇所の寸法と、の対応関係を予め求めておき、当該境界の評価パラメータ値に対応する前記寸法を基準として、前記第１および第２ランクを設定する
請求項３に記載のフォトマスクの製造方法。
【請求項６】
前記ランクを設定する際に、前記ＭＥＥＦ値が前記定常範囲から外れる境界のＭＥＥＦ値と、前記マスクパターンにおけるラインエンドの縮み量により変動する箇所の寸法と、の対応関係を予め求めておき、当該境界のＭＥＥＦ値に対応する前記寸法を基準として、前記第１および第２ランクを設定する
請求項４に記載のフォトマスクの製造方法。
【請求項７】
前記基準となる寸法が、前記マスクパターンにおける２つのラインエンドが離れて配置された箇所のラインエンドスペース間隔の設計値である
請求項６に記載のフォトマスクの製造方法。
【請求項８】
前記ランクを設定する際に、クリアフィールドマスクに対する前記ランクの仕様を、ダークフィールドマスクに対する前記ランクの仕様より厳しく設定する
請求項１に記載のフォトマスクの製造方法。
【請求項９】
デバイスに転写すべきパターンを有するフォトマスクを製造し、当該フォトマスクを用いて前記パターンを半導体基板上の感光層に転写し、感光層を解像し、解像された感光層を用いてデバイス製造を行う半導体デバイスの製造方法であって、
前記フォトマスクの製造が、
前記仕様を設定するステップと、
前記フォトマスクを作製するステップと、
前記フォトマスク上のマスクパターンの寸法を測定し、その測定結果に基づいて前記フォトマスクの合否を判定する検査のステップと、を含み、
前記仕様を設定するステップにおいて、検査すべきマスクパターンの寸法ばらつき仕様の一つとしてラインエンドの寸法ばらつき仕様を設け、当該ラインエンドの寸法ばらつき規格を決める際に、当該ラインエンドのマスクパターンがレジストに転写されて形成されるレジストパターンについて、そのラインエンドの縮み量を反映した評価パラメータを算出し、当該評価パラメータの値に応じて、前記ラインエンドの寸法ばらつき仕様のランクを設定し、
前記検査のステップにおいて、前記ランクごとに異なる仕様および前記測定結果を用いて、作製された前記フォトマスクの合否を判定し、
前記合否判定の結果、合格したフォトマスクを用いて前記半導体基板上の前記感光層にパターンの転写を行う
半導体デバイスの製造方法。
【請求項１０】
前記評価パラメータがラインエンドに関するＭＥＥＦ値である
請求項９に記載の半導体デバイスの製造方法。
【請求項１１】
前記ラインエンドの寸法ばらつき仕様のランクは、前記評価パラメータが定常範囲内であるラインエンドに適用される第１ランクと、前記評価パラメータが前記定常範囲から外れるラインエンドに適用され、前記第１ランクより厳しい仕様の第２ランクとを含み、
前記測定において、前記マスクパターンのラインエンドに関し、その測定結果から算出した前記評価パラメータが前記定常範囲内と判断されるときは前記第１ランクを適用し、前記評価パラメータが前記定常範囲を外れていると判断されるときは前記第２ランクを適用する
請求項９に記載の半導体デバイスの製造方法。
【請求項１２】
前記ラインエンドの寸法ばらつき仕様のランクは、前記ＭＥＥＦ値が１程度の定常範囲内のラインエンドに適用される第１ランクと、前記ＭＥＥＦ値が前記定常範囲を外れるラインエンドに適用され、前記第１ランクより厳しい仕様の第２ランクとを含み、
前記測定において、前記マスクパターンのラインエンドに関し、その測定結果から算出された前記ＭＥＥＦ値が前記定常範囲内と判断されるときは前記第１ランクを適用し、前記ＭＥＥＦ値が前記定常範囲を外れていると判断されるときは前記第２ランクを適用する
請求項１０に記載の半導体デバイスの製造方法。
【発明の詳細な説明】
【技術分野】
【０００１】
本発明は、フォトマスクの検査のための仕様を設定し、その仕様に基づいて検査を行い、検査結果および検査使用を用いて製造後のフォトマスクの合否を判定するための各ステップを含むフォトマスクの製造方法と、このようにして製造されたフォトマスクを用いる半導体デバイスの製造方法とに関する。
【背景技術】
【０００２】
フォトマスクパターンに関し、これをシリコンウェハ上のレジストに転写し、現像等により解像すると、出来上がったレジストパターンの寸法は、転写前のマスクパターンの寸法から変動することが一般に知られている。このレジストパターンの寸法変動は、設計誤差のほかに、露光条件、レジスト塗布および現像等のプロセス条件の変動に起因して生じる。そして、レジストパターンが転写前のマスクパターンに比べ後退または縮小する、逆に太くなる、あるいは、その微小開口部が解像できないなど、様々な態様の寸法変動が発生する。
【０００３】
フォトマスクパターンの寸法仕様に関しては、孤立線やＬＳ(line & space)などのパターンにおいて、そのピッチや線幅を様々に変化させたテストパターンを用意し、そのテストパターンの測定値に対して寸法仕様を適用している。また、デバイス特性に影響が高いパターンまたは微細パターンに関しては、その線幅のＣＤ(Critical Dimension)について、たとえば±１０ｎｍなどの特別な仕様を規定し、テストパターンに対する仕様に加え、実際のデバイスパターンに対応したマスク領域においてＣＤ値を測定し、上記特別な仕様を満足し高いマスク品質が保証できるようにマスクパターン寸法が管理される。つまり、マスクパターンの寸法は、要求されるマスクパターン寸法の精度に応じて複数のレベルで仕様を設定し、これを基に厳密に管理している。
【０００４】
一方、隣り合うマスクパターン同士の距離（ラインエンド寸法）に関しては、ラインエンドを有するマスクパターンをレジスト上に転写し解像した後では、レジストパターンがマスクパターンに比べ後退または縮小し、ラインエンド寸法が大きく拡大する傾向にあることが知られている。
【発明の開示】
【発明が解決しようとする課題】
【０００５】
しかし、ラインエンドについては寸法仕様が存在しないことが多く、現実的な以下に述べる対処がなされている。これは、今までのマスクパターン寸法の管理において、フォトマスク製造時に発生する電子線描画時の近接効果やエッチング工程で発生するローディング効果の補正を駆使して、線幅のＣＤ管理に重点が置かれていたという理由に因る。
【０００６】
デバイス製造において、たとえばラインエンドを有する配線パターンに微細コンタクトホールのパターンを重ねる必要がある場合、それらのパターンを有するフォトマスク設計の段階で、配線パターンのラインエンドが後退する量を予め見積もっておく。そして、その縮み量に応じてラインエンドとコンタクトとの間に一定のマージンを持たせることにより、配線に対しコンタクトホールを確実に重ねるようにしている。つまり、ラインエンド寸法のマージンを個々のパターンで設定することが煩雑であり、現実的でないことから、設計の段階において、一律でどのパターンに対しても十分な値、たとえば数十ｎｍ以上のマージン値を設定し、それによりコンタクト接続不良等の発生を防止している。
【０００７】
ところが、半導体デバイスの最小寸法が９０ｎｍ以下の世代に推移するにつれて、パターン寸法の縮小化と同時にパターンとパターンの間の間隔も狭くなってきている。このため、フォトマスクパターンの設計において、プロセス起因で発生するラインエンド寸法のばらつきを吸収させるための十分で適切なマージンを持たせることが従来よりも難しくなってきている。
より詳細には、ラインエンドパターン寸法のマージンの一律な値を、デバイスの世代が進むにつれて小さくするようにすると、この縮小されたマージン値を含むラインエンド領域と同じか、それを超えて実際のプロセスでラインエンドの位置がばらついてしまい、このデバイス上のパターンで、ラインエンドマージンがゼロまたはマイナスの箇所が発生するようになる。
この場合、配線とコンタクトホールの接続箇所では、コンタクト抵抗の増大あるいはコンタクト未接続箇所が生じ、歩留まりが低下する。さらにトランジスタにおいては、そのゲート配線が活性領域と交差する箇所でゲート配線端が後退すると、リーク電流が増大して性能が悪くなり、歩留まりが低下する。
【０００８】
このため、一律でどのパターンに対しても十分なマージン値を適用する従来からの手法を適用せざるを得ない。その場合、設定された大きなマージン値が必要なクリティカルな箇所（縮み量などが大きな箇所）では、合理的なパターン設計がなされている。
ところが、同じマスクパターン内には、周囲のパターン密度等の兼ね合いで縮み量が比較的小さな箇所も混在しており、そのような箇所では、設定されたマージン値が、本来必要なマージン値より大きく、その分、無駄な領域が潜在的に生じているとみなすことができる。結果として、このことが単位面積当たりの素子密度を向上させることの阻害要因となっている。
【０００９】
一方、フォトマスクパターンのラインエンドについて、寸法仕様が存在する場合もある。ただし、この場合の仕様は、出来上がりのフォトマスクでラインエンド寸法を測定し、それが予定した寸法を満足するか否かを調べるための仕様であり、露光・転写後のレジストパターンとの対比で寸法誤差の程度を調べるためのものではない。
したがって、当然ながら、転写前後の縮み量の程度に応じてラインエンド寸法仕様が異なっていない。このラインエンド寸法仕様を用いてフォトマスクの製造を行っても、上記と同様に潜在的に無駄な領域が生じやすく、素子密度の向上が十分でないという上記問題は解決されない。
【００１０】
本発明が解決しようとする課題は、半導体デバイスの基本性能や歩留まりの維持または向上を図りながら、その占有面積の縮小が可能なフォトマスクパターンのラインエンド仕様を新たに提案し、これを用いたフォトマスクの製造方法および半導体デバイスの製造方法を提供することである。
【課題を解決するための手段】
【００１１】
本発明に係るフォトマスクの製造方法は、フォトマスクの検査のための仕様を設定するステップと、フォトマスクを作製するステップと、フォトマスク上のマスクパターンの寸法を測定し、その測定結果および前記仕様に基づいて前記フォトマスクの合否を判定する検査のステップとを含むフォトマスクの製造方法であって、前記仕様を設定するステップにおいて、検査すべきマスクパターンの寸法ばらつき仕様の一つとしてラインエンドの寸法ばらつき仕様を設け、当該ラインエンドの寸法ばらつき規格を決める際に、当該ラインエンドのマスクパターンがレジストに転写されて形成されるレジストパターンについて、そのラインエンドの縮み量を反映した評価パラメータを算出し、当該評価パラメータの値に応じて前記ラインエンドの寸法ばらつき仕様のランクを設定し、前記検査のステップにおいて、前記ランクごとに異なる仕様および前記測定結果を用いて、作製された前記フォトマスクの合否を判定する。
本発明では、前記ラインエンドの寸法ばらつき仕様のランクは、前記評価パラメータが定常範囲内であるラインエンドに適用される第１ランクと、前記評価パラメータが前記定常範囲から外れるラインエンドに適用され、前記第１ランクより厳しい仕様の第２ランクとを含み、前記測定において、前記マスクパターンのラインエンドに関し、その測定結果から算出した前記評価パラメータが前記定常範囲内と判断されるときは前記第１ランクを適用し、前記評価パラメータが前記定常範囲を外れていると判断されるときは前記第２ランクを適用することが望ましい。
【００１２】
好適に、前記評価パラメータがラインエンドに関するＭＥＥＦ値である（ＭＥＥＦ値については後述する）。
この場合、前記ラインエンドの寸法ばらつき仕様のランクは、前記ＭＥＥＦ値が１程度の定常範囲内のラインエンドに適用される第１ランクと、前記ＭＥＥＦ値が前記定常範囲を外れるラインエンドに適用され、前記第１ランクより厳しい仕様の第２ランクとを含み、前記測定において、前記マスクパターンのラインエンドに関し、その測定結果から算出された前記ＭＥＥＦ値が前記定常範囲内と判断されるときは前記第１ランクを適用し、前記ＭＥＥＦ値が前記定常範囲を外れていると判断されるときは前記第２ランクを適用することが望ましい。
【００１３】
本発明に係る半導体デバイスの製造方法は、デバイスに転写すべきパターンを有するフォトマスクを製造し、当該フォトマスクを用いて前記パターンを半導体基板上の感光層に転写し、感光層を解像し、解像された感光層を用いてデバイス製造を行う半導体デバイスの製造方法であって、前記フォトマスクの製造が、前記仕様を設定するステップと、前記フォトマスクを作製するステップと、前記フォトマスク上のマスクパターンの寸法を測定し、その測定結果に基づいて前記フォトマスクの合否を判定する検査のステップと、を含み、前記仕様を設定するステップにおいて、検査すべきマスクパターンの寸法ばらつき仕様の一つとしてラインエンドの寸法ばらつき仕様を設け、当該ラインエンドの寸法ばらつき規格を決める際に、当該ラインエンドのマスクパターンがレジストに転写されて形成されるレジストパターンについて、そのラインエンドの縮み量を反映した評価パラメータを算出し、当該評価パラメータの値に応じて、前記ラインエンドの寸法ばらつき仕様のランクを設定し、前記検査のステップにおいて、前記ランクごとに異なる仕様および前記測定結果を用いて、作製された前記フォトマスクの合否を判定し、前記合否判定の結果、合格したフォトマスクを用いて前記半導体基板上の前記感光層にパターンの転写を行う。
【発明の効果】
【００１４】
本発明によれば、半導体デバイスの基本性能や歩留まりの維持または向上を図りながら、その占有面積の縮小が可能なフォトマスクパターンのラインエンド仕様を新たに提案し、これを用いたフォトマスクの製造方法および半導体デバイスの製造方法を提供することができる。
【発明を実施するための最良の形態】
【００１５】
以下、本発明の実施の形態を、図面を参照して説明する。
ここでは、本発明の概要、本発明を考案する際に行った露光実験、具体的な実施例の順で説明する。
【００１６】
［概要］
前述したように、半導体デバイス製造における各種プロセスにおいて、プロセスの前後でパターンのラインエンド寸法を最も大きく変動させるのは、露光を用いてフォトマスクパターンをレジストに転写するプロセス（以下、露光・転写（プロセス）という）である。
【００１７】
露光・転写の前後でのパターン寸法のばらつき要因としては、露光量などの露光条件および解像に起因した寸法ばらつきのほかに、マスクパターンのラインエンド寸法ばらつきとして、マスクパターンの寸法ばらつきがＭＥＥＦ(Mask Error Enhancement Factor)値で規定される倍率で変換されてレジストパターンの寸法ばらつきとして現れる現象がある。このような様々なばらつき要因を全て考慮して、フォトマスクパターンのラインエンド寸法を精度よく管理できれば、シリコンウェハ上のレジストパターンについて、そのラインエンド寸法精度の向上が期待できる。
「ＭＥＥＦ値」は、次式(1)により定義される露光・転写時の寸法誤差の変換倍率を決めるパラメータである。
【００１８】
［数１］
ＭＥＥＦ＝レジストＣＤ誤差／(マスクＣＤ誤差／マスク倍率)…(1)
【００１９】
ここで「マスクＣＤ誤差」はマスクパターンのＣＤ誤差、「レジストＣＤ誤差」は当該マスクパターンを露光・転写により形成されたレジストパターンのＣＤ誤差であり、「マスク倍率」は一般に、縮小投影型露光装置の投影倍率に相当する。
上記式(1)から明らかなように、ＭＥＥＦ値が「１」で一定とすると、マスク倍率が大きいほど、マスクＣＤ誤差が、そのマスク倍率倍だけ縮小されてレジストＣＤ誤差に反映される。これ自体は、縮小投影型露光装置が高精度なパターン転写を行う理由になっており、好ましいことである。
【００２０】
ところが、後述するように本発明者による露光実験の結果、パターンによってＭＥＥＦ値が大きく変動する（一般には、「１」より大きくなる）箇所が発生することがわかった。
その箇所では、マスクＣＤ誤差のみを考慮して（すなわち、レジストＣＤ誤差を考慮しないで）設定した仕様に基づくマスクパターンの寸法管理では、実デバイス上（レジストパターン上）で、期待したパターン間の重ね合わせ精度、あるいは、予定したラインエンドの寸法変動量が得られなくなる。その結果、このマスクパターンの寸法仕様に基づいてラインエンド間隔を一律に補正すると、レジストパターンにおいて、ある箇所ではラインエンドの縮み量が予定より大きくなり、これがコンタクト不良やリーク電流増大の原因になる。また、ある箇所では大きなラインエンドの縮み量を見越して予めラインエンド間隔を小さくする補正を行っている場合に、その補正が結果的に過剰となり、最悪の場合、ラインエンドが隣のパターンと分離できないことから、パターンショート不良が発生する。
【００２１】
本発明は、このような知見に基づいて成されたものであり、ＭＥＥＦ値に応じて、フォトマスク上のパターンに対して設定する仕様を変更することが、その大きな特徴の一つである。
より詳細な仕様変更の指針として、シリコンウェハ上のレジストパターンのラインエンド寸法ばらつき精度を向上させるために、露光・転写時のＭＥＥＦ値を考慮したうえで、ＭＥＥＦ値が大きいパターンに関してマスクパターン寸法仕様を厳しくし、逆に、ＭＥＥＦ値が小さいパターンに関してはマスクパターン寸法仕様を緩和する。
【００２２】
実際のフォトマスクの製造、および、フォトマスクの製造工程を含む広い意味での半導体デバイスの製造において、まず、フォトマスク上のパターン寸法に関し、各種ラインエンドパターンについて露光・転写時のＭＥＥＦ値を個別に求め、上記指針に基づいて、求めた個々のＭＥＥＦ値に応じて、実デバイス上でレジストパターンが所望のラインエンド間隔となるようにフォトマスク上のパターン仕様を決定する。
つぎに、フォトマスクを、上記仕様を反映させて製造する。そして、製造されたフォトマスクの検査工程において、上記決定した仕様をラインエンドパターンの種類ごとに適用して管理する。また、ライン幅の寸法使用については従来の手法を踏襲して管理する。
このようにして製造されたフォトマスクを実際のデバイス製造に使用すると、出来上がったデバイス上のパターンにおいて、従来よりもシリコンウェハ上のレジストパターンで発生するコンタクト接続不良、リーク電流の増大、パターン間ショート等の発生確率を低減することができる。
【００２３】
［露光実験］
つぎに、以上に概要を説明した本発明に関するフォトマスク寸法管理手法を考案する際に行った露光実験について述べる。
図１（Ａ）および図１（Ｂ）に、露光実験に用いたテストマスクのマスクパターン形状および測定箇所を示す。ここで図１（Ｂ）は、図１（Ａ）における３つのラインエンド突合せ部のうち中央のラインエンド突合せ部において、マスクパターンをレジストパターンと重ねて示す拡大図である。
図１（Ａ）に示すテストマスクのラインエンド測定箇所において、一定のＬＳ(line ＆ space)を有する３本のラインを組として、その２組が所定間隔をおいて配置されている。そのライン幅およびスペース幅は１２０ｎｍ、ライン長は２０００ｎｍである。このときフォトマスク上でのラインエンド間の間隔を「ラインエンドスペース」と称し、この値はマスク設計において予め決められている。
【００２４】
ここでの測定では、前述した式(1)によるラインエンドのＭＥＥＦ値を求めるために、そのパラメータとして「ラインエンドレジストＣＤ誤差」と「ラインエンドマスクＣＤ誤差」を求めることを目的とする。
「ラインエンドレジストＣＤ誤差」は、図１（Ｂ）に示すように、１つのラインエンドにおいて、そのマスクパターンの先端からレジストパターンの先端が後退した量（長さ）である。ラインエンドレジストＣＤ誤差は、次式(2)に示すように、ラインエンドスペースの設計値から、レジストパターンのラインエンドスペース測定値（ラインエンドスペースレジストＣＤ測定値）を引いた値を２で割ることにより求めることができる。
【００２５】
［数２］
ラインエンドレジストＣＤ誤差
＝０.５×(ラインエンドスペース設計値−ラインエンドスペースレジストＣＤ測定値)
…(2)
【００２６】
このラインエンドレジストパターンの縮み量（ラインエンドマスクＣＤ誤差）の求め方は、設計値に対するマスクパターンの後退においても適用できる。このラインエンドマスクＣＤ誤差は、レジストパターンの縮み量（ラインエンドレジストＣＤ誤差）よりかなり小さいことから図示を省略しているが考え方は同じであり、次式(3)により求めることができる。
【００２７】
［数３］
ラインエンドマスクＣＤ誤差
＝０.５×(ラインエンドスペース設計値−ラインエンドスペースマスクＣＤ測定値)
…(3)
【００２８】
この式(3)と上記式(2)による２つのＣＤ誤差を用いて、次式(4)によりラインエンドＭＥＥＦ値を求める。
【００２９】
［数４］
ラインエンドＭＥＥＦ
＝ラインエンドレジストＣＤ誤差／(ラインエンドマスクＣＤ誤差／マスク倍率)…(4)
【００３０】
図２に、ライン本数が３本の場合に、クリアフィールドマスクとダークフィールドマスクのそれぞれの、ラインエンドスペース間隔（設計値）と露光・転写後のシリコンウェハ上のレジストパターン寸法から算出したＭＥＥＦ値との相関を示す。
ここで用いたテストマスクは６インチであり、そのマスク基板材料はモリブデンシリサイドを用いたハーフトーン材料からなる。実験に用いた露光装置は、ＮＡ＝０．６、σ＝０．７５、縮小投影露光倍率（マスク倍率）が４倍、２／３輪帯照明の光学系を備えている。また、レジストパターンの形成には、化学増幅ポジ型レジストおよび反射防止膜（ＢＡＲＣ）を使用した。
ラインエンドＭＥＥＦ値の算出は上記式(2)~(4)を用いて行った。ラインエンドの縮み量（ラインエンドレジストＣＤ誤差およびラインエンドマスクＣＤ誤差）を算出する際は、テストパターンの左右対称性を利用して、左右２箇所のテストパターンのそれぞれで、ラインエンドスペースレジストＣＤ測定、ラインエンドスペースマスクＣＤ測定を行い、それぞれ左右の平均値を算出している。
【００３１】
図２より、ラインエンドスペース間隔（設計値）が２００ｎｍ以上の場合は、クリアフィールドマスク、ダークフィールドマスクともにラインエンドＭＥＥＦの値がほぼ「１」で一定である。その一方、ラインエンド間隔が狭い領域においてラインエンドＭＥＥＦ値が増大している。とくに、クリアフィールドマスクではラインエンド間隔が１００ｎｍ以下になった場合にＭＥＥＦ値の上昇が急激であり、ラインエンド間隔が８０ｎｍでＭＥＥＦ値が３．４となっている。ラインエンド間隔がさらに狭まれば、そのＭＥＥＦ値もさらに大きくなることが予想される。
【００３２】
図３に、クリアフィールドマスクの露光・転写について、ライン本数を１、３、５本で変化させた場合の実験結果を示す。この実験結果を示すグラフの縦軸および横軸は、前記図２と同じであり、また実験に用いたマスクサイズおよび材料、露光装置（露光条件や光学系）、ならびに、レジスト仕様も前記図２を求めたときと同じである。
図３より、図２に示す３本ラインの場合と同様に、孤立ライン（１本ライン）および５本ラインの場合においても、ラインエンドスペース間隔が狭くなるとラインエンドＭＥＥＦ値が増大していることがわかる。孤立ラインと複数ライン（３本ラインまたは５本ライン）では、若干ラインエンドＭＥＥＦ値に違いがあるが、全体の傾向としては同じとみなすことができる。とくに孤立ラインエンドはラインエンドスペース間隔が６０ｎｍの場合も解像しており、ラインエンドＭＥＥＦは４．４となっている。
【００３３】
以上より、露光・転写後のシリコンウェハ上におけるレジストパターンのラインエンド寸法ばらつきを減少させるためには、図２および図３の露光実験に用いたような各種ラインエンドパターンにおいて、ラインエンドＭＥＥＦ値がより大きなパターンに対してマスクパターンのラインエンド寸法ばらつきを、より厳しく管理すれば効果的であることがわかる。このときラインエンド寸法ばらつきを厳しく管理するか否かの境として、ラインエンドＭＥＥＦ値が一定値「１」から変化し始めるラインエンドスペース間隔２００ｎｍを用いることが望ましいことも図２および図３からわかる。
【００３４】
［実施例］
以下、上記露光実験の結果および得られた見解に基づいて、ラインエンドＭＥＥＦ値に応じてラインエンドのマスク寸法管理を行うステップを含む、フォトマスクの製造方法および半導体デバイスの製造方法の実施例を述べる。なお、ここではフォトマスクの製造方法は、広い意味でのデバイス製造方法に含まれると解釈していることから、半導体デバイスの製造方法についての説明を行う。
【００３５】
図４に、半導体デバイスの製造方法の大まかな流れを示す。
この製造方法は、フォトマスクの製造ステップ（ＳＴ０）と、製造されたフォトマスク（Ｍａｓｋ１，…，Ｍａｓｋｎ，…）を用いて行うデバイス製造ステップ（ＳＴ４）とに大きく分類される。
【００３６】
フォトマスクの製造は、ラインエンドを含むマスクパターンの寸法の仕様を設定するステップ（ＳＴ１）と、フォトマスクの作製ステップ（ＳＴ２）と、作製されたフォトマスクのパターンを測定し、その測定結果と上記仕様を用いてフォトマスクの合否を判定する検査ステップ（ＳＴ３）を含む。
なお、仕様設定のステップ（ＳＴ１）に通常の、線幅のＣＤ寸法ばらつきの仕様設定も含み、検査ステップ（ＳＴ３）では、線幅のＣＤ寸法ばらつき測定およびその結果と仕様に基づくフォトマスクの合否判定を行う。ただし、以下の記述では、ラインエンド寸法の説明に特化する。また、フォトマスクの作製ステップ（ＳＴ２）には、設計データを、たとえばＥＢ描画データに変換し、必要な近接効果等の補正を行い、補正後のＥＢ描画データを用いてフォトマスクを作成するための諸ステップを含む。
【００３７】
図５に、マスクパターンのラインエンド寸法ばらつきについて仕様を設定するステップ（ＳＴ１）の詳細な流れを示す。
この図５に示す仕様設定ステップ（ＳＴ１）は、ラインエンドの態様、すなわちラインエンドと他のパターンとの相対位置関係の種類が同じであれば、フォトマスクごとにあるいはデバイスの種類ごとに行う必要は必ずしもない。新たな態様のラインエンドが追加されるたびに、図５に示す手順で、その仕様を決定し、ラインエンドの態様と仕様をデータベース化して、必要なときに必要な仕様を用いるようにすると、効率的で望ましい。また、この仕様設定は、ラインエンドの態様が決まった設計途中の段階で開始するとよい。
【００３８】
最初に、ラインエンド寸法ばらつきを評価するためのパターンが複数種類となるようにデータを用意する（ステップＳＴ１１）。このデータ作成は、通常パターン設計の段階で用意する。また、上記データベースを構築する場合などでは、多くの態様が必要となることから、前述した露光実験に用いたように専用のテストマスクを作製することが望ましい。ただし、新たなラインエンドの態様を追加する場合、検査すべきラインエンドの態様数が少ない場合などでは、製造用のフォトマスクの空き領域に任意の個数、任意の配置で設けることが望ましい。
【００３９】
ラインエンドパターンの代表的な態様例としては、図１に示す突合せパターンのほかに、図６（Ａ）に示すセンタージャンクションパターン、あるいは、図６（Ｂ）に示すように周辺を他のラインにより囲まれた囲みラインエンドパターンなどを挙げることができる。これらの各パターンにおいて、そのライン幅、ライン本数、ラインエンドスペース等の設計値を変化させたものを複数用意し、これにより実デバイスのラインエンドの態様をほぼ網羅するように多種類のパターンを用意するとよい。
【００４０】
図５に示すステップＳＴ１２において、これらデータに基づいてのテスト用のラインエンドパターンを含むテストマスク（またはテスト用のラインエンドパターンを含むデバイス用フォトマスク）を作製する。
ステップＳＴ１３において、作製したテストマスク等を用いて露光実験を行う。
【００４１】
ステップＳＴ１４において、ラインエンドのパターンに対してマスク上のラインエンド寸法を測定する。また、ステップＳＴ１５において、ステップＳＴ１４においてラインエンド寸法を測定したパターンごとに、ウェハ上に転写されたパターンに対しレジストのラインエンド寸法を測定する。
これらの測定結果から、ラインエンドの態様ごとに、図１の説明で述べたようにラインエンドレジストＣＤ誤差およびラインエンドマスクＣＤ誤差を前記式(2)および式(3)を用いて算出する。
なお、測定すべきラインエンド寸法に関し、図６（Ａ）および図６（Ｂ）に示すようにラインエンド間に他のラインが配置されている場合には、その間のラインの有無に関わらずラインエンドスペース間隔を測定する。または、ラインエンドと、それに近接したラインエッジまでの距離を測定し、その測定結果を線幅のＣＤ測定を元に補正してもよい。
【００４２】
図５に示すステップＳＴ１６において、前記式(4)を用いてラインエンドＭＥＥＦ値を算出する。すなわち、ラインエンドの態様ごとに、ラインエンドマスクＣＤ誤差をマスク倍率で割り算し、この割り算結果に対するラインエンドレジストＣＤ誤差の比を取ることによって、ラインエンドパターンのＭＥＥＦ値を算出する。
【００４３】
ステップＳＴ１７において、ラインエンドＭＥＥＦ値が大きな値を呈するパターンに対しては厳しい寸法仕様を設定する。
より詳細には、ラインエンドＭＥＥＦ値が定常範囲、たとえば「１±α」より大きいか否かによって仕様にランク付けを行う。そして、定常範囲内のラインエンドパターンに対しては、相対的に緩やかな寸法仕様を適用し、定常範囲より大きいラインエンドパターンに対しては、より厳しい寸法仕様を適用する。なお、定常範囲より大きいラインエンドパターンに対する寸法仕様のランクを、ラインエンドＭＥＥＦ値の大きさに応じて、その値が大きいほど厳しい仕様となるように、さらに細かなランク付けをしてもよい。
また、他の方法としては、定常範囲から外れる境界のＭＥＥＦ値と、マスクパターンにおけるラインエンドの縮み量により変動する箇所の寸法との対応関係を予め求めておき、この寸法を基準としてランクを設定してもよい。この基準となる寸法は、ラインエンドスペース間隔（設計値）が望ましいが、図６（Ａ）または図６（Ｂ）の場合には、ラインエンドと、それに近接したラインエッジとの距離（設計値）を用いることもできる。その場合には、この距離の測定値を基準と照合する際に、この測定値をライン幅変動量により補正したものを用いることが望ましい。
さらに、前記露光実験の結果から明らかなように、クリアフィールドマスクにおいてはラインエンドＭＥＥＦ値が急激に大きくなることから、その寸法仕様をダークフィールドマスクより厳しく設定することが望ましい。
上記定常範囲の大きさを決めるαの値は、図２および図５においてラインエンドスペース間隔が２００ｎｍ以上の定常範囲のばらつきを考慮して、ラインエンドパターンの態様（およびダークフィールドかクリアフィールドの違い）ごとに異なる値、または、共通値として適切な値を選択するとよい。
【００４４】
図４に戻って、デバイス用のフォトマスクを作製し（ステップＳＴ２）、作製したフォトマスクを検査する（ステップＳＴ３）。
検査では、まず、作製したフォトマスクの、たとえば空き領域に形成されているテストパターンにおいて、デバイスパターンに用いられている態様のラインエンドを測定する。つぎに、この測定結果を、ラインエンドの態様ごとに、所定のランクの仕様に照合し、当該フォトマスクの合否を判定する。
これにより、フォトマスクのラインエンド寸法が、レジストにパターン転写した際の寸法を加味してラインエンドごとに、それぞれ適した厳しさで管理される。
【００４５】
その後、図４に示すように、上記検査で合格となったフォトマスクを用いて、デバイスパターンを形成するための露光および現像の工程（ＳＴ４１ａ，…，ＳＴ４ｎａ，…）、その現像後のレジストを用いた工程（ＳＴ４１ｂ，…，ＳＴ４ｎｂ，…）を必要な回数交互に繰り返すことによって、半導体デバイスを製造する。
【００４６】
本実施の形態では、フォトマスクのラインエンド寸法が、その態様に適した厳しさで管理されることから、フォトマスクの品質が高く、その結果、特性および歩留まりが高いデバイスの製造が可能である。とくに、コンタクト接続不良、トランジスタのリーク電流の増大を有効に防止できるという利点がある。
【００４７】
最後に、このようなラインエンド寸法の適正管理を、具体的な数値例を挙げて説明する。本例では、シリコンウェハ上のレジストパターンで、そのラインエンドに±５ｎｍの寸法精度を要求する場合を想定する。また、マスク倍率は４であると仮定する。
周辺パターンの密度が疎な領域（ラインエンドスペースが広い領域）にラインエンドが配置されている場合、ラインエンドＭＥＥＦ値が１±αの定常範囲を維持している。このとき±５×４／(１±α)≒±２０ｎｍであることから、クリアフィールドマスクのラインエンド寸法仕様は「±２０ｎｍ以内」と設定することができる。
一方、隣接パターンとのスペース間隔が８０ｎｍの場合には、±５×４／３．４＝±５．９ｎｍの寸法仕様が必要となる。また、ダークフィールドマスクの場合は、スペース間隔が８０ｎｍの場合で±５×４／１．４＝±１４．３ｎｍの寸法仕様が要求される。さらに、図３に示す孤立ライン（１本ライン）の場合、スペース間隔が６０ｎｍのときに、±５×４／４．４＝±４．５ｎｍの寸法仕様が必要となる。
このように、ラインエンドの態様やマスクの種類に応じて、ラインエンド寸法仕様の適正値が異なる。したがって、これらを一律に緩い仕様、たとえば「±２０ｎｍ以内」で管理すれば、ラインエンドスペース間隔が２００ｎｍより小さい、上記８０ｎｍや６０ｎｍの箇所では、±５ｎｍの寸法精度を超えて大きくばらつく。
このため、コンタクト不良やライン間ショート、あるいは、リーク増大の不良率が高まる。逆に、これらのばらつきを見越してマージンをとる設計を行うと、逆に、「±２０ｎｍ以内」の仕様で十分な箇所で無駄な面積が潜在的に存在することになり、これは高密度化の阻害要因となっている。
本発明による実施の形態では、上記のようにフォトマスクにおけるラインエンド寸法の適正管理が可能なことから、これらの不良および無駄な面積発生が生じないという利益が得られる。また、とくにリーク電流の低減によって、半導体デバイス（半導体集積回路）の低電圧化が大きく進展し、また歩留まりが向上する。
【産業上の利用可能性】
【００４８】
本発明は、フォトマスクの製造および半導体デバイス製造の用途に広く適用できる。
【図面の簡単な説明】
【００４９】
【図１】（Ａ）は、本発明の実施の形態において、露光実験に用いたテストマスクのマスクパターン形状および測定箇所を示す図である。（Ｂ）は、（Ａ）における３つのラインエンド突合せ部のうち中央のラインエンド突合せ部において、マスクパターンをレジストパターンと重ねて示す拡大図である。
【図２】ライン本数が３本の場合に、クリアフィールドマスクとダークフィールドマスクのそれぞれの、ラインエンドスペース間隔（設計値）と露光・転写後のシリコンウェハ上のレジストパターン寸法から算出したＭＥＥＦ値との相関を示すグラフである。
【図３】クリアフィールドマスクの露光・転写について、ライン本数を１、３、５本で変化させた場合の実験結果を示すグラフである。
【図４】半導体デバイスの製造方法の大まかな流れを示すフローチャートである。
【図５】マスクパターンのラインエンド寸法ばらつきに仕様を設定するステップの詳細を示すフローチャートである。
【図６】ラインエンドパターンの他の態様例を示す図であり、（Ａ）はセンタージャンクションパターンを示す図、（Ｂ）は囲みラインエンドパターンを示す図である。
【符号の説明】
【００５０】
ＳＴ１…仕様設定ステップ、ＳＴ２…フォトマスク作製ステップ、ＳＴ３…検査ステップ、ＳＴ１４…マスクパターンのラインエンド寸法測定ステップ、ＳＴ１５…レジストパターンのラインエンド寸法測定ステップ、ＳＴ１６…ラインエンドＭＥＥＦ値の算出ステップ、ＳＴ１７…フォトマスクのラインエンド寸法仕様の設定ステップ
【図１】
2006220837.tif 000003
【図２】
2006220837.tif 000004
【図３】
2006220837.tif 000005
【図４】
2006220837.tif 000006
【図５】
2006220837.tif 000007
【図６】
2006220837.tif 000008